(57)【特許請求の範囲】
【請求項１】
掃除機本体と、
吸込口が形成された基部と前記掃除機本体に着脱可能に接続される接続筒部とを有するノズルと、
前記掃除機本体を載置可能な載置台とを有して構成される電気掃除機において、
前記載置台の側面に、前記ノズルの接続筒部に遊嵌させて挿入可能な形状のノズル掛けを、上部が外側を向くように、垂直に対して傾斜させて設けると共に、前記ノズル掛けの下部におけるこのノズル掛けの軸線Ｚ方向の突出寸法を、前記ノズルの基部の反対側となる前記接続筒部の端縁における前端から後端までの前記接続筒部の軸線Ｘ，Ｙ方向の寸法の二倍未満としたことを特徴とする電気掃除機。
【請求項２】
前記ノズルの基部と接続筒部の軸線Ｘ，Ｙが成す角度を、前記ノズル掛けの軸線Ｚの垂直に対する傾斜角度とほぼ等しくしたことを特徴とする請求項１記載の電気掃除機。
【請求項３】
前記ノズルの基部の反対側となる前記接続筒部の端縁と前記接続筒部の軸線Ｘ，Ｙとが成す角度を、前記載置台の側面に対する前記ノズル掛けの軸線Ｚの傾斜角度とほぼ等しくしたことを特徴とする請求項１記載の電気掃除機。
【発明の詳細な説明】
【技術分野】
【０００１】
本発明は、掃除機本体に対して着脱可能なノズルを保持可能な載置台を有する電気掃除機に関するものである。
【背景技術】
【０００２】
従来、この種の電気掃除機としては、掃除機本体と充電台（本願発明の載置台に相当する）とを有し、この充電台の上面に設けられた付属品保持部（本願発明のノズル掛けに相当する）に、付属品（本願発明のノズルに相当する）を取り付けることができるものが知られている（例えば、特許文献１参照。）。また、掃除機本体と、充電部を有する部品収納箱（本願発明の載置台に相当する）とを有し、この部品収納箱内に隙間ノズル等の部品を収納することができるものも知られている（例えば、特許文献２参照。）。更に、掃除機本体を着脱自在に嵌合し得る充電器（本願発明の載置台に相当する）の外側面に、ノズル掛けを設けたものも知られている（例えば、特許文献３参照。）。
【先行技術文献】
【特許文献】
【０００３】
【特許文献１】特開２００１−１４９２８９号公報
【特許文献２】特開平９−１０１５５号公報
【特許文献３】特公平４−１６１６号公報
【発明の概要】
【発明が解決しようとする課題】
【０００４】
引用文献１のような電気掃除機は、掃除機本体を載置するスペースの他に、ノズルを取り付けるためのスペースを載置台の上面に設ける必要があるため、載置台が大型化してしまう虞があった。また、引用文献２のような電気掃除機は、載置台内にノズル等を収納させるため、小型化に限界があった。特に、掃除機本体が手持ち型掃除機であり、載置台が充電台である場合、ノズルの他に回路基板等を載置台内に配置しなければならないので、載置台の小型化が困難であった。更に、引用文献３のような電気掃除機は、載置台が小型化できるものの、先端が汚れたノズルによって掃除機本体を汚してしまう虞があった。これは特に、先端にブラシや突起が設けられたノズルを、これらのブラシや突起が掃除機本体側となるように、ノズル掛けに保持させることができてしまうためである。
【０００５】
本発明は以上の問題点を解決し、小型で且つノズルを容易に着脱できる載置台を有する電気掃除機を提供することを目的とする。また、ノズルが掃除機本体を汚しにくい電気掃除機を提供することを目的とする。
【課題を解決するための手段】
【０００６】
本発明の請求項１に記載の電気掃除機は、掃除機本体と、吸込口が形成された基部と前記掃除機本体に着脱可能に接続される接続筒部とを有するノズルと、前記掃除機本体を載置可能な載置台とを有して構成される電気掃除機において、前記載置台の側面に、前記ノズルの接続筒部に遊嵌させて挿入可能な形状のノズル掛けを、上部が外側を向くように、垂直に対して傾斜させて設けると共に、前記ノズル掛けの下部におけるこのノズル掛けの軸線Ｚ方向の突出寸法を、前記ノズルの基部の反対側となる前記接続筒部の端縁における前端から後端までの前記接続筒部の軸線Ｘ，Ｙ方向の寸法の二倍未満としたものである。
【０００７】
また、本発明の請求項２に記載の電気掃除機は、請求項１において、前記ノズルの基部と接続筒部の軸線Ｘ，Ｙが成す角度を、前記ノズル掛けの軸線Ｚの垂直に対する傾斜角度とほぼ等しくしたものである。
【０００８】
また、本発明の請求項３に記載の電気掃除機は、請求項１において、前記ノズルの基部の反対側となる前記接続筒部の端縁と前記接続筒部の軸線Ｘ，Ｙとが成す角度を、前記載置台の側面に対する前記ノズル掛けの軸線Ｚの傾斜角度とほぼ等しくしたものである。
【発明の効果】
【０００９】
本発明の請求項１に記載の電気掃除機は、以上のように構成することにより、載置台を小型化することができる。また、ノズルの汚れやすい部分が掃除機本体から離れるようにノズルを保持することができるので、掃除機本体を汚しにくくすることができる。更に、前記ノズルを上方から前記ノズル掛けに遊嵌させて掛けることで、前記ノズルを容易に前記ノズル掛けに保持することができる。更に、前記ノズル掛けの下部における軸線Ｚ方向の突出寸法を、前記ノズルの基部の反対側となる前記接続筒部の端縁における前端から後端までの軸線Ｘ，Ｙ方向の寸法の二倍未満としたことで、誤った向きでは、前記ノズルを前記ノズル掛けに取り付けられないようにすることができるので、前記ノズルの汚れやすい部分が前記掃除機本体の反対側を向くようにして、この掃除機本体をより汚れにくくすることができる。
【００１０】
そして、前記ノズルの基部と接続筒部の軸線Ｘ，Ｙが成す角度を、前記ノズル掛けの軸線Ｚの垂直に対する傾斜角度とほぼ等しくしたことで、前記ノズルの基部がほぼ垂直姿勢となるので、前記ノズルを嵩張らないように保持することができる。
【００１１】
また、前記ノズルの基部の反対側となる前記接続筒部の端縁と前記接続筒部の軸線Ｘ，Ｙとが成す角度を、前記載置台の側面に対する前記ノズル掛けの軸線Ｚの傾斜角度とほぼ等しくしたことで、正しい向きで前記ノズルを前記ノズル掛けに保持させたとき、このノズル掛けが前記ノズルの接続筒部に深く挿入されるので、安定して前記ノズルを保持することができる。
【図面の簡単な説明】
【００１２】
【図１】本発明の一実施形態を示す電気掃除機の全体図である。
【図２】同、第一ノズルの正面図である。
【図３】同、第一ノズルの背面図である。
【図４】同、第一ノズルの左側面図である。
【図５】同、第一ノズルのＡ−Ａ断面図である。
【図６】同、第一ノズルの底面図である。
【図７】同、第一ノズルの使用状態を示す説明図である。
【図８】同、第二ノズルの正面図である。
【図９】同、第二ノズルのＢ−Ｂ断面図である。
【図１０】同、充電台の平面図である。
【図１１】同、充電台の正面図である。
【図１２】同、各ノズルが取り付けられた状態の充電台の平面図である。
【図１３】同、第一ノズルの受電台への取り付けを説明する説明図である。
【図１４】同、第一ノズルの受電台への取り付けを説明する説明図である。
【図１５】同、正しい向きの第一ノズルとノズル掛けの関係を示す説明図である。
【図１６】同、誤った向きの第一ノズルとノズル掛けの関係を示す説明図である。
【発明を実施するための形態】
【００１３】
以下、本発明の実施形態について、図１乃至図１６に基づいて説明する。１は本発明の電気掃除機である。この電気掃除機１は、手持ち型の掃除機本体２と、載置台としての充電台３と、第一ノズル４と、第二ノズル５とを有して構成される。前記掃除機本体１は、図示しない電動送風機及び二次電池が収容された機構部６と、集塵容器８とを有して構成される。なお、前記機構部６には、把持部７が設けられる。また、前記集塵容器８には、吸引管９が設けられると共に、この吸引管９に、係合突起１０が設けられる。そして、前記吸引管９の先端部に、前記第一ノズル４又は第二ノズル５が選択的且つ着脱可能に取り付けられる。なお、前記吸引管９の先端部に、何れのノズル４，５も取り付けない状態で使用することも可能である。
【００１４】
前記充電台３は、充電台本体１１と、ノズル掛け１２，１３とを有して構成される。前記充電台本体１１は、ほぼ短円筒形に形成される。即ち、前記充電台本体１１の側面１１Ａは、僅かな抜き勾配があるものの、床等の設置面に対しほぼ垂直である。そして、前記充電台本体１１の平面視形状は、前記把持部７を除く前記機構部６の平面視形状とほぼ一致する。また、前記充電台本体１１の上部には、給電突起１４が設けられると共に、この給電突起１４に、給電端子１５，１６が設けられる。更に、前記充電台本体１１の側面１１Ａには、前記各ノズル掛け１２，１３が一体形成される。なお、前記各ノズル掛け１２，１３は、何れも上方ほど前記充電台本体１１から離れるように、垂直に対して外側に傾斜する。そして、前記各ノズル掛け１２，１３の軸線Ｚの傾斜角度は、何れもδである。そして、この角度δは、前記充電台本体１１の側面１１Ａと前記軸線Ｚとが成す角度にほぼ等しい。また、前記各ノズル掛け１２，１３は、同形状に形成される。そして、前記各ノズル掛け１２，１３は、前記第一ノズル４の後述する接続筒部２２の内寸及び前記第二ノズル５の後述する接続筒部３４の内寸よりも細く形成される。即ち、前記第一ノズル４の接続筒部２２及び第二ノズル５の接続筒部３４は、前記各ノズル掛け１２，１３に遊嵌する。また、前記各ノズル４，５は、どちらのノズル掛け１２，１３にも遊嵌させることができる。また、前記各ノズル掛け１２，１３の下部における基端から先端までの軸線Ｚ方向の寸法はＬＡである。更に、前記充電台本体１１の側面１１Ａには、図示しない電源に接続するための給電線１７が設けられる。
【００１５】
前記第一ノズル４について説明する。なお、前記第一ノズル４は、便宜上、その進行方向Ｄの前側を前、進行方向Ｄの後側を後と定義する。即ち、図４、図５、図７において、右側が前、左側が後、図６において、上側が前、下側が後である。前記第一ノズル４は、合成樹脂製のノズル本体１８と、エラストマー製の突起部材１９とを有して構成される。なお、これらのノズル本体１８と突起部材１９は、インサート成型によって一体に成型される。前記ノズル本体１８は、中央部に吸込口２０が形成された平板状の基部２１と、前記吸引管９に接続された接続筒部２２とを有して構成される。そして、前記基部２１と接続筒部２２は、一体成型される。また、前記吸込口２０は、前記接続筒部２２の内側と連通する。また、前記接続筒部２２には、前記吸引管９の係合突起１０に対応して、係合孔２３が形成される。なお、前記接続筒部２２は、前記基部２１に対して前方に傾斜する。そして、前記基部２１と前記接続筒部２２の軸線Ｘとが成す角度はθである。この角度θは、前記各ノズル掛け１２，１３の傾斜角度δとほぼ等しい。また、前記基部２１の反対側となる前記接続筒部２２の上端縁２２Ａは、前記基部２１とほぼ平行に形成される。即ち、前記接続筒部２２の上端縁２２Ａが通る仮想平面と前記軸線Ｘとが成す角度は、ほぼθであり、前記各ノズル掛け１２，１３の傾斜角度δとほぼ等しい。更に、前記上端縁２２Ａにおける前端２２Ｂから後端２２Ｃまでの軸線Ｘ方向の寸法はＬＢである。そして、この寸法ＬＢと、前述した前記各ノズル掛け１２，１３の寸法ＬＡは、「２ＬＢ＞ＬＡ」という条件を満たす。
【００１６】
前記突起部材１９は、前記ノズル本体１８の基部２１の外周を覆うように構成された基部２４と、複数の第一突起２５と、複数の第二突起２６とを有して構成される。そして、前記基部２４には、前記基部２１の吸込口２０に対応して、貫通孔２７が形成される。また、前記各第一突起２５によって、第一突起群２８が形成されると共に、前記各第二突起２６によって、第二突起群２９が形成される。なお、前記第一突起２５は、正面視で角丸の矩形状に形成される。一方、前記第二突起２６は、正面視で先端が丸められた三角形状に形成される。従って、前記第一突起２５の先端部の横幅Ｗは、ほぼ尖端となっている前記第二突起２６の先端部の幅よりも広い。また、前記第一突起２５は、進行方向Ｄに沿って徐々に突出量が大きくなるように形成される。一方、前記第二突起２６は、進行方向Ｄに対してほぼ直交するように突出して形成される。即ち、前記第一突起２５は、第二突起２６に比べて鈍く形成される。また、前記第一突起２５の突出量ＨＡは、前記第二突起２６の突出量ＨＢよりも小さい。更に、前記各第一突起２５同士の間隔ＧＡ，ＧＢは、前記第一ノズル４を絨毯Ｃに押し当てた際に、前記各第二突起２６の絨毯Ｃから露出している部分同士の間隔ＧＣよりも広い。少なくとも、間隔ＧＢは、前記第二突起２６の先端同士の間隔よりも大きいので、絨毯Ｃに植設された毛の長さによらず、間隔ＧＣよりも必ず大きくなる。
【００１７】
前記第二ノズル５について説明する。なお、前記第二ノズル５も、前記第一ノズル４と同様に、便宜上、図９における右側を前、左側を後と定義する。前記第二ノズル５は、合成樹脂製のノズル本体３０と、複数の毛束から成るブラシ部３１とを有して構成される。前記ノズル本体３０は、吸込口３２を有する略短筒状の基部３３と、前記吸引管９に接続される接続筒部３４とを有して構成される。そして、前記基部３３と接続筒部３４は、一体成型される。また、前記吸込口３２は、前記接続筒部３４と連通する。また、前記接続筒部３４には、前記吸引管９の係合突起１０に対応して、係合孔３５が形成される。なお、前記接続筒部３４は、前記基部３３に対して前方に傾斜して設けられる。そして、前記基部３３の下端縁と前記接続筒部３４の軸線Ｙとが成す角度は、前記第一ノズル４と同様にθである。また、前記接続筒部３４の上端縁３４Ａは、前記基部３３の下端縁３３Ａとほぼ平行に形成される。即ち、前記接続筒部３４の上端縁３４Ａが通る仮想平面と前記軸線Ｙとが成す角度は、ほぼθであり、前記各ノズル掛け１２，１３の傾斜角度δとほぼ等しい。更に、前記上端縁３４Ａにおける前端３４Ｂから後端３４Ｃまでの軸線Ｙ方向の寸法はＬＣである。そして、この寸法ＬＣと、前述した前記各ノズル掛け１２，１３の寸法ＬＡは、「２ＬＣ＞ＬＡ」という条件を満たす。
【００１８】
次に、本実施形態の作用について説明する。まず、使用者は、前記充電台３の給電線１７の図示しないプラグを電源に接続する。そして、前記充電台３に前記掃除機本体２を載せ、この掃除機本体２の機構部６に収容された図示しない二次電池を充電する。このようにして、二次電池を充電することで、前記掃除機本体２が使用可能な状態となる。
【００１９】
そして、この掃除機本体２を使用する場合、前記把持部７を把持して前記掃除機本体２を持ち上げ、操作部を操作して図示しない電動送風機を作動させる。この電動送風機が作動することで、塵埃を含んだ気流が、前記吸引管９から吸引される。そして、気流に含まれる塵埃は、前記集塵容器８で分離され、この集塵容器８内に溜められる。
【００２０】
この際、必要に応じ、前記ノズル掛け１２，１３に保持された前記第一ノズル４又は第二ノズル５を、前記吸引管９の先端に取り付ける。なお、前記第一ノズル４は、主に絨毯Ｃ等を清掃する際に使用される。また、前記第二ノズル５は、主に床や机上等を清掃する際に使用される。
【００２１】
絨毯Ｃを清掃する場合、前述したように、前記第一ノズル４を前記吸引管９の先端に取り付ける。この取り付けは、前記吸引管９の先端を、前記上端縁２２Ａ側から前記第一ノズル４の接続筒部２２に挿入することで行われる。そして、前記第一ノズル４の接続筒部２２に前記吸引管９の先端を挿入すると、この吸引管９に設けられた係合突起１０が、前記接続筒部２２に形成された係合孔２３と係合する。このように、前記係合突起１０が前記係合孔２３と係合することで、前記第一ノズル４は前記吸引管９と結合する。
【００２２】
そして、前記第一ノズル４の各突起群２８，２９を絨毯に接触させて、使用者の方に引く。即ち、前記第一ノズル４を進行方向Ｄの前方に移動させる。なお、前記第一突起２５は、横幅Ｗが広く、進行方向Ｄに沿って前方から後方に向かうに従って徐々に突出量が大きくなるように形成されるので、前記第一ノズル４を進行方向Ｄに移動させても、絨毯Ｃに無数に植設された毛の間に入り込みにくい。即ち、前記第一突起２５は、絨毯Ｃの毛の上を滑るように移動する。これに対し、前記第二突起２６は、正面視で、下方の先端側ほど細くなる三角形状であり、進行方向Ｄに対しほぼ直交して突出するので、前記第一ノズル４を進行方向Ｄに移動させることで、絨毯Ｃの毛の間に入り込む。特に、前記第一突起２５の突出量ＨＡよりも、前記第二突起２６の突出量ＨＢが大きいことで、前記第二突起２６は自然に絨毯Ｃの毛の間に入り込む。そして、前記第二突起２６の先端側が絨毯Ｃの毛の間に入り込んだ状態で前記第一ノズル４を進行方向Ｄに移動させることで、絨毯Ｃの毛の間に入り込んだ塵埃が掻き出される。そして、絨毯Ｃ内の塵埃は、前記第二突起２６の前方に掻き出されるので、この第二突起２６に邪魔されることなく、この第二突起２６の前方に設けられた前記吸込口２０から前記集塵容器８に吸引される。なお、前述したように、前記第一突起２５が絨毯Ｃの毛の間に入り込みにくいことで、前記各第一突起２５間には、絨毯Ｃの毛の上に気流Ｓの流通路Ｐが確保される。また、使用状態での前記第一突起２５同士の間隔ＧＡ，ＧＢが、前記第二突起２６同士における絨毯Ｃによって塞がれていない部分の間隔ＧＣよりも大きいので、気流Ｓの流通路Ｐは十分に確保される。少なくとも、間隔ＧＢは、前記第二突起２６の先端同士の間隔よりも大きいので、間隔ＧＣよりも必ず大きくなる。このため、前記第一ノズル４は、絨毯Ｃに吸い付くことなく、効率的に塵埃を掻き出して吸引することができる。
【００２３】
なお、前記第二ノズル５のような、前記ブラシ部３１を有するノズルを用いた床等の平坦な被清掃部の清掃は、よく知られているので、説明を省略する。
【００２４】
清掃終了後、前記第一ノズル４又は第二ノズル５を前記吸引管９の先端から取り外す。そして、取り外された前記第一ノズル４又は第二ノズル５は、前記充電台３の充電台本体１１の側面１１Ａに設けられた前記ノズル掛け１２，１３に保持させる。なお、前記第二ノズル５の前記ノズル掛け１２，１３への取り付け方は、前記第一ノズル４の前記ノズル掛け１２，１３への取り付け方と同じである。また、前述した通り、前記ノズル掛け１２とノズル掛け１３は、同形状である。従って、前記第一ノズル４の前記ノズル掛け１２への取り付けについてのみ説明する。
【００２５】
前記第一ノズル４は、前記ノズル掛け１２の先端部を、前記上端縁２２Ａ側から前記接続筒部２２に挿入することで、前記ノズル掛け１２に保持される。この際、前記第一ノズル４は、図１４に示すように、前記接続筒部２２の上端縁２２Ａの前端２２Ｂが下となり、後端２２Ｃが上となる姿勢で、前記ノズル掛け１２に保持される。この姿勢では、前記第一ノズル４は、汚れた前記各突起群２８，２９が外側を向く。従って、前記充電台３に前記掃除機本体２を設置しても、汚れた前記各突起群２８，２９が前記掃除機本体２の反対側を向くので、前記掃除機本体２は、前記各突起群２８，２９によって汚されにくい。また、前記第一ノズル４は、その基部２１が、床等の設置面に対してほぼ垂直となる。このため、前記ノズル掛け１２に前記第一ノズル４を嵩張らないように保持させることができる。更に、前記前記第一ノズル４の接続筒部２２の上端縁２２Ａが前記基部２１とほぼ平行であることから、前記接続筒部２２の上端縁２２Ａも、床等の設置面に対してほぼ垂直となる。即ち、前記接続筒部２２の上端縁２２Ａは、前記充電台本体１１の側面１１Ａとほぼ平行となる。このため、前記第一ノズル４を前記ノズル掛け１２に保持させたとき、このノズル掛け１２が前記第一ノズル４の接続筒部２２に深く挿入されるので、前記第一ノズル４は前記ノズル掛け１２に安定して保持される。
【００２６】
なお、前記第一ノズル４は、その軸線Ｘと前記ノズル掛け１２の軸線Ｚが一致するように、前記ノズル掛け１２を挿入することで、前記ノズル掛け１２に保持させることができる。また、前記第一ノズル４の接続筒部２２は、前述したように、その内寸が前記各ノズル掛け１２の太さよりも大きく形成されることで、前記各ノズル掛け１２に遊嵌する。このため、前記第一ノズル４は、図１３に示すように、その軸線Ｘが垂直となる姿勢で上方から掛けることで、前記ノズル掛け１２に保持させることもできる。この際、前記突起部材１９によって前記基部２１側が重くなっていることで、前記第一ノズル４は、図１３に示すように、前記上端縁２２Ａの後端２２Ｃを支点として、左回りに回動する。この結果、前記第一ノズル４は、図１３の状態で前記ノズル掛け１２に掛けられたとしても、図１４の状態で保持される。また、前記第一ノズル４は、その軸線Ｘが垂直に対しδ以下の範囲で外側に傾斜した姿勢で上方から掛けられた場合も、同様に図１４の状態で保持される。なお、前記第一ノズル４は、軸線Ｚと逆方向に僅かに傾いた状態で前記ノズル掛け１２に掛けられたとしても、条件によっては、図１４の状態で保持させることができる。この条件は、支点となる前記接続筒部２２の後端２２Ｃよりも、前記第一ノズル４の重心が外側となることである。前記充電台３は、使用者よりも低い位置となる床等に置かれることも多い。従って、前記充電台３に設けられた前記ノズル掛け１２に対し前記第一ノズル４を上方から掛けることができるようにすることで、前記第一ノズル４は、容易に前記ノズル掛け１２に保持させることができる。
【００２７】
図１６に示すように、前記第一ノズル４を前記ノズル掛け１２に対し逆向き、即ち、前記第一ノズル４の接続筒部２２の前側と後側の位置関係が図１５の場合と逆になるように取り付けようとした場合について説明する。この場合、前記接続筒部２２の前端２２Ｂが前記充電台本体１１に当接すると、前記充電台本体１１から前記接続筒部２２の後端２２Ｃまでの軸線Ｚに沿う距離は、ほぼ２ＬＢとなる。そして、前述した通り、前記接続筒部２２の上端縁２２Ａにおける前端２２Ｂから後端２２Ｃまでの軸線Ｘ方向の寸法ＬＢと、前記ノズル掛け１２の軸線Ｚ方向の下部寸法ＬＡは、「２ＬＢ＞ＬＡ」という条件を満たす。このため、前記ノズル掛け１２の下部の先端１２Ａは、前記接続筒部２２内に挿入されない。このため、前記ノズル掛け１２は、前記第一ノズル４が重力によって倒れると、前記接続筒部２２の上端縁２２Ａの後端２２Ｃが前記ノズル掛け１２に当接しない。従って、前記ノズル掛け１２は、前記第一ノズル４の倒れを止めて支えることができない。即ち、図１６の状態では、前記第一ノズル４は前記ノズル掛け１２に取り付けることができない。
【００２８】
以上のように、本発明の電気掃除機１は、掃除機本体２と、吸込口２０，３２が形成された基部２１，３３及び前記掃除機本体２に着脱可能に接続される接続筒部２２，３４を有するノズルとしての第一ノズル４又は第二ノズル５と、前記掃除機本体２を載置可能な載置台としての充電台３を有して構成され、この充電台３の本体の側面１１Ａに、前記各ノズル４，５の接続筒部２０，３２に挿入可能な形状のノズル掛け１２，１３を、上部が外側を向くように、垂直に対して傾斜させて設けたことで、前記充電台３を小型化しながら、前記各ノズル４，５の汚れた部分が前記掃除機本体２から離れるようにして、この掃除機本体２を汚しにくくすることができ、更に、前記各ノズル４，５を上方から前記ノズル掛け１２，１３に遊嵌させて掛けて容易に保持することができるものである。
【００２９】
また、本発明は、前記各ノズル４，５の基部２１，３３と前記接続筒部２２，３４の軸線Ｘ，Ｙが成す角度θを、前記各ノズル掛け１２，１３の軸線Ｚの垂直に対する傾斜角度δとほぼ等しくしたことで、前記各ノズル４，５の基部２１，３３がほぼ垂直姿勢となるので、前記各ノズル４，５を嵩張らないように保持することができるものである。
【００３０】
また、本発明は、前記各ノズル４，５の基部２１，３３の反対側となる前記接続筒部２２，３４の上端縁２２Ａ、３４Ａと前記接続筒部２２，３４の軸線Ｘ，Ｙとが成す角度を、前記充電台３の本体側面１１Ａと前記各ノズル掛け１２，１３の軸線Ｚが成す角度とほぼ等しくしたことで、正しい向きで前記各ノズル４，５を前記各ノズル掛け１２，１３に保持させたとき、これらのノズル掛け１２，１３が前記各ノズル４，５の接続筒部２２，３４に深く挿入されるので、安定して前記各ノズル４，５を保持することができるものである。
【００３１】
更に、本発明は、前記各ノズル掛け１２，１３の下部における軸線Ｚ方向の突出寸法ＬＡを、前記各ノズル４，５の基部２１，３３の反対側となる前記接続筒部２２，３４の上端縁２２Ａ，３４Ａにおける前端２２Ｂ，３４Ｂから後端２２Ｃ，３４Ｃまでの軸線Ｘ，Ｙ方向の寸法ＬＢ，ＬＣの二倍未満としたことで、誤った向きでは、前記各ノズル４，５を前記ノズル掛けに取り付けられないようにすることができるので、前記各ノズル４，５の汚れた部分が前記掃除機本体２の反対側を向くようにして、この掃除機本体２をより汚れにくくすることができるものである。
【００３２】
なお、本発明は以上の実施形態に限定されるものではなく、発明の要旨の範囲内で種々の変形実施が可能である。例えば、上記実施形態では、ほぼ垂直の側面にノズル掛けを設けたが、垂直に対して傾斜した側面にノズル掛けを設けても良い。また、前記載置台は、充電台でなくても良い。
【符号の説明】
【００３３】
１  電気掃除機
２  掃除機本体
３  充電台（載置台）
４  第一ノズル（ノズル）
５  第二ノズル（ノズル）
１１Ａ  側面
１２，１３  ノズル掛け
２０，３２  吸込口
２１，３３  基部
２２，３４  接続筒部
２２Ａ，３４Ａ  上端縁（端縁）
２２Ｂ，３４Ｂ  前端
２２Ｃ，３４Ｃ  後端
δ  ノズル掛け１１，１２の軸線Ｚの傾斜角度
θ  接続筒部２２，３４の軸線Ｘ，Ｙと基部２１，３３とが成す角度
ＬＡ  ノズル掛け１２，１３の下部における軸線Ｚ方向の突出寸法
ＬＢ  前端２２Ｂから後端２２Ｃまでの軸線Ｘ方向の寸法
ＬＣ  前端３４Ｂから後端３４Ｃまでの軸線Ｙ方向の寸法
【図１】
0005567984.tif 000002
【図２】
0005567984.tif 000003
【図３】
0005567984.tif 000004
【図４】
0005567984.tif 000005
【図５】
0005567984.tif 000006
【図６】
0005567984.tif 000007
【図７】
0005567984.tif 000008
【図８】
0005567984.tif 000009
【図９】
0005567984.tif 000010
【図１０】
0005567984.tif 000011
【図１１】
0005567984.tif 000012
【図１２】
0005567984.tif 000013
【図１３】
0005567984.tif 000014
【図１４】
0005567984.tif 000015
【図１５】
0005567984.tif 000016
【図１６】
0005567984.tif 000017